(57)【要約】【課題】安価な構成で、低騒音で、熱交換効率に優れた空気調和機用室外機を提供する。【解決手段】熱交換器２が配され空気を流入させるための空気流通部Ａと、本体１の上面に配された吹出し口６と、本体１の上部に配置され空気流通部Ａより空気を吸引する送風機３と、非空気流通部Ｂと、送風機３等を制御する制御回路（図示せず）を内蔵した制御箱４と、上端が送風機３に連通すると共に非空気流通部Ｂと制御箱４とで形成された風路１ａを有し、送風機３による吸引風の一部が、風路１ａを介して熱交換器２の下部に作用するように制御箱４を配置したもので、熱交換器２下部から誘引される空気量が増加するだけでなく、熱交換器２上部から誘引される空気量が減少し、熱交換器２での風速分布が均一になることで熱交換器２での抵抗が減少し、騒音が低下し、熱交換効率が向上し、消費電力を低減することができる。【選択図】図１
2006153334.tif 000002
【特許請求の範囲】
【請求項１】
熱交換器が配され空気を流入させるための空気流通部と、本体の上面に配された吹出し口と、前記本体の上部に配置され前記空気流通部より空気を吸引する送風機と、非空気流通部と、前記送風機等を制御する制御回路を内蔵した制御箱と、上端が前記送風機に連通すると共に前記非空気流通部と前記制御箱とで形成された風路を有し、前記送風機による吸引風の一部が、前記風路を介して前記熱交換器の下部に作用するように前記制御箱を配置した空気調和機用室外機。
【請求項２】
送風機より下方に間をおいて制御箱を配置し、前記送風機と前記制御箱との間に仕切り板を備えた請求項１に記載の空気調和機用室外機。
【請求項３】
仕切り板の一部に、可動可能なダンバー機構を有する可動仕切り板を設けた請求項２に記載の空気調和機用室外機。
【請求項４】
吹出し口からの雨水が制御箱に進入するのを防止するトップステーを設けた請求項１〜３のいずれか１項に記載の空気調和機用室外機。
【請求項５】
制御箱を２個以上の分割制御箱に分割し、隣り合う前記分割制御箱間に空気流通が可能な流通部を設けた請求項１〜４のいずれか１項に記載の空気調和機用室外機。
【発明の詳細な説明】
【技術分野】
【０００１】
本発明は、空気調和機用室外機に関し、さらに詳しくは側面吸込・上吹出タイプの空気調和機用室外機に関するものである。
【背景技術】
【０００２】
従来の、この種の空気調和機用室外機は側面から外気を吸込み熱交換器で熱交換した後、室外機の上部から吹出している（例えば、特許文献１参照）。
【０００３】
図３は、上記特許文献１に記載された従来の空気調和機用室外機の略断面図である。
【０００４】
図３に示すように、空気調和機用室外機の本体１の側面に熱交換器２が配置され、熱交換器２を設置した面に空気流通部Ａを、それと対向する面に非空気流通部Ｂをそれぞれ有し、本体１の上部に上方に吹出す送風機３が設けられている。４は、送風機３などの電気部品を制御する制御回路（図示せず）を内蔵する制御箱で、制御箱４と非空気流通部Ｂ間には、熱交換器２の下部側から吹出し口６に風を誘引するための補助送風機５１と仕切り５２が設けられている。７は、本体１の底面１ｂに設けた圧縮機である。
【０００５】
上記構成により、本体１の上部に配された送風機３により、熱交換器２で熱交換した空気が吹出し口６より上方に吹出すと共に、補助送風機５１により、熱交換器２の下部側から空気が誘引され、同じく吹出し口６から吹出される。
【特許文献１】特開平１０−２５３１００号公報
【発明の開示】
【発明が解決しようとする課題】
【０００６】
しかしながら、前記従来の空気調和機用室外機の構成では、送風機３の回転数を外気温や運転状態によってリニアに回転数を変化させるが、その際に補助送風機５１の回転数と同調し騒音が増加するだけでなく、補助送風機５１の運転によって生じる消費電力が空気調和機用室外機の消費電力増加につながるという課題を有していた。
【０００７】
本発明は、前記従来の課題を解決するもので、安価な構成で、熱交換器を通過する空気の風速分布を均一にするだけでなく、消費電力量をアップさせずに、騒音増加を抑制できる空気調和機用室外機を提供することを目的とする。
【課題を解決するための手段】
【０００８】
前記従来の課題を解決するために、本発明の空気調和機用室外機は、熱交換器が配され空気を流入させるための空気流通部と、本体の上面に配された吹出し口と、前記本体の上部に配置され前記空気流通部より空気を吸引する送風機と、非空気流通部と、前記送風機等を制御する制御回路を内蔵した制御箱と、上端が前記送風機に連通すると共に前記非空気流通部と前記制御箱とで形成された風路を有し、前記送風機による吸引風の一部が、前記風路を介して前記熱交換器の下部に作用するように前記制御箱を配置したもので、安価な構成で、熱交換器下部から誘引される空気量が増加するだけでなく、熱交換器上部から誘引される空気量が減少し、つまり、熱交換器での風速分布が均一になることで熱交換器での抵抗が減少し、空気調和機用室外機の低騒音化と熱交換器での熱交換効率が向上し、消費電力を低減することができる。
【発明の効果】
【０００９】
本発明の空気調和機用室外機は、安価な構成で、低騒音で、熱交換器での熱交換効率が向上し、消費電力を低減することができる。
【発明を実施するための最良の形態】
【００１０】
第１の発明は、熱交換器が配され空気を流入させるための空気流通部と、本体の上面に配された吹出し口と、前記本体の上部に配置され前記空気流通部より空気を吸引する送風機と、非空気流通部と、前記送風機等を制御する制御回路を内蔵した制御箱と、上端が前記送風機に連通すると共に前記非空気流通部と前記制御箱とで形成された風路を有し、前記送風機による吸引風の一部が、前記風路を介して前記熱交換器の下部に作用するように前記制御箱を配置したもので、安価な構成で、熱交換器下部から誘引される空気量が増加するだけでなく、熱交換器上部から誘引される空気量が減少し、つまり、熱交換器での風速分布が均一になることで熱交換器での抵抗が減少し、空気調和機用室外機の低騒音化と熱交換器での熱交換効率が向上し、消費電力を低減することができる。
【００１１】
第２の発明は、特に、第１の発明の送風機より下方に間をおいて制御箱を配置し、前記送風機と前記制御箱との間に仕切り板を備えたもので、熱交換効率が向上し消費電力の低減、送風機の吸込抵抗の低減が図れるために、騒音低減だけでなく、送風機の消費電力の減少ができる。
【００１２】
第３の発明は、特に、第２の発明の仕切り板の一部に、可動可能なダンバー機構を有する可動仕切り板を設けたもので、暖房運転時に熱交換器に付着する水分によって、冷房運転時と異なる風速分布となることを調整できるために、運転状態に依存することなく熱交換器の熱交換効率を向上でき、空気調和機用室外機の消費電力を削減することができる。
【００１３】
第４の発明は、特に、第１〜３のいずれか一つの発明の吹出し口からの雨水が制御箱に進入するのを防止するトップステーを設けたもので、制御箱内に雨水が進入するのを防止できるので、空気調和機用室外機としての信頼性向上が可能となる。
【００１４】
第５の発明は、特に、第１〜４のいずれか一つの発明の制御箱を２個以上の分割制御箱に分割し、隣り合う前記分割制御箱間に空気流通が可能な流通部を設けたもので、暖房運転時に熱交換器に付着する水分によって、冷房運転時と異なる風速分布となることをさらに細かく調整できるので、運転状態に依存することなく熱交換器の熱交換効率を向上でき、空気調和機用室外機の消費電力を削減することができる。
【００１５】
以下、本発明の実施の形態について、図面を参照しながら説明する。なお、この実施の形態によって本発明が限定されるものではない。
【００１６】
（実施の形態１）
図１（ａ）は、本発明の第１の実施の形態における空気調和機用室外機の内部構成を示す上面図、（ｂ）は、同空気調和機用室外機の略断面図である。なお、上記従来例と同一部分については、同一符号を付してその説明を省略する。
【００１７】
図１において、空気調和機用室外機は、本体１の側面に設けられ熱交換器２を設置した空気流通部Ａと、空気流通部Ａと対向する面の非空気流通部Ｂと、送風機３等の電気部品を制御する制御回路（図示せず）を内蔵すると共に送風機３の下方に間をおいて、例えば１００ｍｍ以上離して下方に配された制御箱４と、送風機３と制御箱４との間に設けられた仕切り板５とを備え、非空気流通部Ｂと、制御箱４と、仕切り板５とで、送風機３で誘引される空気の一部を通す風路１ａを形成している。
【００１８】
制御箱４の下端と本体１の底面１ｂとの間の隙間１ｃを介して、空気流通部Ａの下部と風路１ａは連通している。
【００１９】
以上のように構成された空気調和機用室外機について、以下その動作、作用を説明する。
【００２０】
まず、送風機３によって誘引される空気は、空気流通部Ａを通る際に熱交換器２で熱交換され、制御箱４と熱交換器２間と、制御箱４と非空気流通部Ｂ間の風路１ａの２通りの経路を経て送風機４に到達し、吹出し口６から本体１の上方に排出される。
【００２１】
以上のように、本実施の形態によれば、送風機３によって誘引される空気の一部を非空気流通部Ａと制御箱４の間の風路１ａから導くことができるように、制御箱４を風路形成用の仕切りとして利用しているので、安価に構成できると共に、熱交換器２下部から誘引される空気量が増加するだけでなく、熱交換器２上部から誘引される空気量が減少し、つまり、熱交換器２での風速分布が均一になることで熱交換器２での抵抗が減少し、空気調和機用室外機の低騒音化と熱交換器２での熱交換効率が向上し、消費電力を低減することができる。
【００２２】
さらに、送風機３と制御箱４との間に仕切り板５を設けたことで、簡単な構造であり、かつ、安価に熱交換器２から吸い込まれる空気量を増加させることができるため熱交換効率が向上し消費電力の低減、送風機３の吸込抵抗の低減による送風機３の消費電力削減と騒音低減ができる。
【００２３】
（実施の形態２）
図２は、本発明の第２の実施の形態における空気調和機用室外機を示すものである。
【００２４】
本実施の形態は、図２に示すように、制御箱を２個以上の分割制御箱１５に分割し、その２つの分割制御箱１５間に空気流通が可能な流通部１６ａを設け、上部分割制御箱１５に連設された仕切り板５の一部に可動可能なダンバー機構を施した可動仕切り板１６と、吹出し口６からの雨水が分割制御ＢＯＸ１５に進入するのを防止するトップステー１７を設けたものである。
【００２５】
以上のように構成された空気調和機用室外機の動作、作用を以下に説明する。
【００２６】
まず、運転状態によって可動仕切り板１６の開度を変化させることで、熱交換器２に流れる風速分布を調整でき、また、流通部１６ａや下方の分割制御箱１５と本体１の底面１ｂとの間の開口面積を、可動仕切り板１６の調整範囲が大きくなるように設定することで、暖房運転時に熱交換器２に付着する水分によって、冷房運転時と異なる風速分布となることを大幅に軽減できるために、運転状態に依存することなく熱交換器２の熱交換効率を向上でき、空気調和機用室外機の消費電力削減ができる。また、トップステー１６を施したことで、制御箱１５内に、雨水等が進入するのを防止でき、空気調和機用室外機としての信頼性を向上させることができる。
【産業上の利用可能性】
【００２７】
以上のように、本発明にかかる空気調和機用室外機は、安価な構成で、低騒音で、熱交換器での熱交換効率が向上し、消費電力を低減することができるので、熱交換器を用いる空気調和機、各種冷房、冷凍機器などに広く適用できる。
【図面の簡単な説明】
【００２８】
【図１】（ａ）本発明の実施の形態１における空気調和機用室外機の内部構成を示す上面図（ｂ）同空気調和機用室外機の略断面図
【図２】本発明の実施の形態２における空気調和機用室外機の略断面図
【図３】従来の空気調和機用室外機の略断面図
【符号の説明】
【００２９】
１  本体
１ａ  風路
２  熱交換器
３  送風機
４  制御箱
５  仕切り板
６  吹出し口
１５  分割制御箱
１６  可動仕切り板
１７  トップステー
Ａ  空気流通部
Ｂ  非空気流通部
【図１】
2006153334.tif 000003
【図２】
2006153334.tif 000004
【図３】
2006153334.tif 000005